(57)【要約】【課題】花立に回転可能な墓誌の機能を付加して、狭い墓地でも墓誌を設置できる回転墓誌付き花立を提供するものである。【解決手段】石材製の基台２の中心に、肩部１５を形成した段付きの支持軸６を立設し、上部に筒状部１８を設け、下部に柱状部１９を設けて、これらの外周に戒名を刻む石材製の回転墓誌３を形成し、この回転墓誌３の前記柱状部１９の中心に軸貫通孔２５を上下方向に形成し、この軸貫通孔２５の内側に、段付きの支持軸６の肩部１５で支持される小径部２７を形成した樹脂製の軸受２６を設け、この軸受２６に前記支持軸６を貫通させて、この肩部１５で軸受２６の小径部２７を支持し、花立４を挿着する石材製の円筒体３１を形成した花立支持部５の底面に、回転墓誌３の軸受２６を貫通した支持軸６の上端を固定して、基台２と花立支持部５とを固定し、中段の回転墓誌３を回転自在に支持したものである。【選択図】  図２
2010031462.tif 000002
【特許請求の範囲】
【請求項１】
石材製の基台の中心に、肩部を形成した段付きの支持軸を立設し、上部に筒状部を設け、下部に柱状部を設けて、これらの外周に戒名を刻む石材製の回転墓誌を形成し、この回転墓誌の前記柱状部の中心に軸貫通孔を上下方向に形成し、この軸貫通孔の内側に、前記段付きの支持軸の肩部で支持される小径部を形成した樹脂製の軸受を設け、この軸受に前記支持軸を貫通させて、この支持軸の肩部で前記軸受の小径部を支持し、花立を挿着する石材製の円筒体を形成した花立支持部の底面に、前記回転墓誌の軸受を貫通した支持軸の上端を固定して、基台と回転墓誌および花立支持部を連結して基台と花立支持部を固定し、中段の回転墓誌を回転自在に支持したことを特徴とする回転墓誌付き花立。
【請求項２】
支持軸を受ける樹脂製の軸受の底部外周にリング状の突出部を形成し、この突出部が嵌合する円形の凹部を、回転墓誌に設けた軸貫通孔の底部内側に形成したことを特徴とする請求項１記載の回転墓誌付き花立。
【請求項３】
基台と、花立支持部の中心に、それぞれ軸端支持孔を形成し、この内側に樹脂製の軸受を設けて、この軸受に支持軸の上下両端を支持して固定したことを特徴とする請求項１記載の回転墓誌付き花立。
【請求項４】
基台と回転墓誌および花立支持部を平面円形状に形成したことを特徴とする請求項１記載の回転墓誌付き花立。
【発明の詳細な説明】
【技術分野】
【０００１】
本発明は、花立に回転墓誌を取付けた回転墓誌付き花立に関するものである。
【背景技術】
【０００２】
一般に、墓には石塔や墓誌、花立が設置されているが、近年、墓地の用地が少なくなり一ケ所当りの墓地面積も小さくなってきている。墓誌は埋葬されている人の戒名などが刻まれて、石塔の脇に設置されているが、墓誌塔は平板で形成されているため、設置面積を広くとる割には多数の戒名を刻めない問題があった。特に狭い墓地では、石塔の脇に横向きに設置され、裏側に回り込まないと読めない場合がある。
【０００３】
このため本発明者は先に円柱状の墓誌を、回転可能に支持した回転墓誌（特許文献１、２）を開発した。この回転墓誌は、円柱状墓誌の外周に戒名を刻んで、参拝した時に回転させて戒名を前面に向けるようにして設置面積を小さくしたものである。しかしながら、更に墓地の面積が小さくなって、特に芝墓地などでは墓誌を設置できないところも出てきた。
【特許文献１】特開平９ー２７３３３４
【特許文献２】特開平１０ー２２００７３
【発明の開示】
【発明が解決しようとする課題】
【０００４】
本発明は上記問題を改善し、どの墓にも石塔の前に設置させている花立を利用して、これに回転可能な墓誌の機能を付加して、狭い墓地でも墓誌を設置できる回転墓誌付き花立を提供するものである。
【課題を解決するための手段】
【０００５】
本発明の請求項１記載の回転墓誌付き花立は、石材製の基台の中心に、肩部を形成した段付きの支持軸を立設し、上部に筒状部を設け、下部に柱状部を設けて、これらの外周に戒名を刻む石材製の回転墓誌を形成し、この回転墓誌の前記柱状部の中心に軸貫通孔を上下方向に形成し、この軸貫通孔の内側に、前記段付きの支持軸の肩部で支持される小径部を形成した樹脂製の軸受を設け、この軸受に前記支持軸を貫通させて、この支持軸の肩部で前記軸受の小径部を支持し、花立を挿着する石材製の円筒体を形成した花立支持部の底面に、前記回転墓誌の軸受を貫通した支持軸の上端を固定して、基台と回転墓誌および花立支持部を連結して基台と花立支持部を固定し、中段の回転墓誌を回転自在に支持したことを特徴とするものである。
【０００６】
本発明の請求項２記載の回転墓誌付き花立は、請求項１において、支持軸を受ける樹脂製の軸受の底部外周にリング状の突出部を形成し、この突出部が嵌合する円形の凹部を、回転墓誌に設けた軸貫通孔の底部内側に形成したことを特徴とするものである。
【０００７】
本発明の請求項３記載の回転墓誌付き花立は、請求項１において、基台と、花立支持部の中心に、それぞれ軸端支持孔を形成し、この内側に樹脂製の軸受を設けて、この軸受に支持軸の上下両端を支持して固定したことを特徴とするものである。
【０００８】
本発明の請求項４記載の回転墓誌付き花立は、請求項１において、基台と回転墓誌および花立支持部を平面円形状に形成したことを特徴とするものである。
【発明の効果】
【０００９】
本発明に係る請求項１記載の回転墓誌付き花立によれば、花立に、外周に多数の戒名を刻むことができる回転墓誌を一体に組込んであるので、狭い墓地でも墓誌を設置することができ、回転式であるので参拝した時に手を当てて廻すと、墓参の対象となる故人の戒名を前面に向けることができる。
【００１０】
更に回転墓誌は、その内側に形成した樹脂製の軸受で支持軸に回転自在に支持されており、ベアリングなどの機械的部品を使用していないので、長期間に亘って安定して回転することができる。また軸受を合成樹脂の流し込みで形成する場合には、石材製の回転墓誌の軸貫通孔の内径加工に多少のばらつきや、芯ずれがあっても、中心に支持軸を正確に挿着することができる。
【００１１】
また請求項２記載の回転墓誌付き花立によれば、支持軸を受ける樹脂製の軸受の底部外周にリング状の突出部を形成し、この突出部が嵌合する円形の凹部を、回転墓誌に設けた軸貫通孔の底部内側に形成したので回転墓誌の重量により軸受が抜けることがない。
【００１２】
また請求項３記載の回転墓誌付き花立によれば、基台と、花立支持部の中心に、それぞれ軸端支持孔を形成し、この内側に樹脂製の軸受を設けて、この軸受に支持軸の上下両端を支持して固定したので、支持軸を確実に支持することができる。
【００１３】
また請求項４記載の回転墓誌付き花立によれば、基台と回転墓誌および花立支持部を平面円形状に形成したので、加工が容易である。
【発明を実施するための最良の形態】
【００１４】
以下本発明の実施の一形態を図１ないし図３を参照して詳細に説明する。図において１は回転墓誌付き花立を示すもので、石材製の基台２と、石材製の回転墓誌３、花立４を挿着する石材製の花立支持部５、および金属製の段付きの支持軸６とから構成され、基台２と回転墓誌３および花立支持部５は、平面円形でそれぞれ外径が同じに形成されている。
【００１５】
前記基台２は、図２に示すように円板部８の上面中心に円筒部９が一体に石材で形成され、この円筒部９に軸端支持孔１１Ａが形成されて、この内側に断面凹形の樹脂で形成された軸受１２Ａが形成されている。また円板部８の底面中心に断面凸形の孔部１０Ａが形成され、これと前記軸受１２Ａが連通している。
【００１６】
また段付きの支持軸６はステンレスなどの金属棒で形成された円柱体１３の上下に、これより小径の円柱体１４Ａ、１４Ｂが一体に形成され、この間に肩部１５、１５が形成され、更に小径の円柱体１４Ａ、１４Ｂの中心には、ねじ孔１６Ａ、１６Ｂが軸方向に沿ってそれぞれ形成されている。
【００１７】
また回転墓誌３は、上部に筒状部１８を、下部に柱状部１９を石材で一体に形成し、これらの外周に戒名を刻むようになっている。前記柱状部１９の上部中心には円板状の突出部２０が一体に形成されていると共に、底部には中空円板状の大径の凹部２１と小径の凹部２２が２段に形成されている。更に前記柱状部１９と、円板状の突出部２０および小径の凹部２２の中心を上下に貫通する軸貫通孔２５が形成され、この内側に樹脂で形成された略円筒状の軸受２６が設けられている。
【００１８】
この軸受２６は、上部に前記支持軸６の小径の円柱体１４Ｂが貫通する孔部を形成した小径部２７が形成されていると共に、下部外周にリング状の突出部２８が一体に形成され、前記柱状部１９の底部の小径の凹部２２に嵌合している。なお２９は、柱状部１９の外周側に軸貫通孔２５に沿って開孔した水抜き孔である。
【００１９】
また前記花立支持部５は、上部を開口した石材製の円筒体３１の上部にリング状の鍔部３２が一体に形成され、円筒体３１の内側に金属製や樹脂製の花立４を挿入して支持するようになっている。円筒体３１はその外径が、前記回転墓誌３の筒状部１８の内径より小さく形成されている。更に円筒体３１の内側底面にはリング状の突出部３３が形成され、この内側に孔部１０Ｂが形成されている。この孔部１０Ｂに連通して、円筒体３１の底面に軸端支持孔１１Ｂが形成され、この内側に軸受１２Ｂが設けられている。またリング状の突出部３３の横の円筒体３１の側面には水抜き孔３４が横方向に形成されている。なお３５はボルト、３６はワッシャーである。
【００２０】
なお上記基台２の軸受１２Ａと、回転墓誌３の軸受２６および花立支持部５の軸受１２Ｂは、予め支持軸６と同形状の図示しない軸受形成用シャフトを挿入し、この周囲に合成樹脂液を注入して硬化させてから、軸受形成用シャフトを引き抜くことにより形成することができる。
【００２１】
次に回転墓誌付き花立の組立て方法について説明する。先ず基台２の軸受１２Ａに支持軸６の下端の円柱体１４Ａを挿入した後、孔部１０Ａからワッシャー３６を介してボルト３５を円柱体１４Ａに形成したねじ孔１６Ａに螺合させて、支持軸６を立設する。次に、支持軸６の上部から回転墓誌３を被せて、その軸受２６に差し込んで下降させてくると、支持軸６の円柱体１３と上部の小径の円柱体１４Ｂとの間に肩部１５で、軸受２６の上部の小径部２７が支持されて回転墓誌３が回転自在に取付けられる。
【００２２】
この後、回転墓誌３の筒状部１８の中に、花立支持部５を挿入し、回転墓誌３の柱状部１９の上部から突出した支持軸６の小径の円柱体１４Ｂを、花立支持部５の底部に設けた軸受１２Ｂに挿着する。この後、花立支持部５の円筒体３１の内側底部に形成した孔部１０Ｂからワッシャー３６を介してボルト３５を上部の円柱体１４Ｂに形成したねじ孔１６Ｂに螺合させて、花立支持部５を支持軸６に固定する。この後、花立支持部５の円筒体３１に花立４を挿入して支持させて、組立を完了する。
【００２３】
上記構成の回転墓誌付き花立１は、図３に示すように、石塔（棹石）３７の手前の両側に設置する。この回転墓誌付き花立１は、図２に示すように支持軸６の下端が基台２に固定され、支持軸６の上端は花立支持部５に一体に固定されている。中間の回転墓誌３は、この中心に形成された軸受２６が、支持軸６で回転自在に支持されているので、回転墓誌３だけが回転する。軸受２６はその小径部２７が、支持軸６の円柱体１３と上部の小径の円柱体１４Ｂとの間の肩部１５で支持されているので滑らかに回転することができる。また軸受２６はその底部に形成したリング状の突出部２８が、円柱体１３の底部に形成した小径の凹部２２に嵌合しているので軸受２６が回転墓誌３の重量によって抜けることがない。
【００２４】
従って本発明の回転墓誌付き花立１は、花立４に、外周に多数の戒名を刻むことができる回転墓誌３を一体に組込んだので、狭い墓地でも墓誌を設置することができる。この回転墓誌３は、側面に戒名や死亡年月日、享年、俗名などを刻む。この回転墓誌３は回転式であるので参拝した時に手を当てて廻すと、墓参の対象となる故人の戒名を前面に向けることができる。
【００２５】
また回転墓誌３は、その内側に形成した樹脂製の軸受２６で支持軸６に回転自在に支持されており、ベアリングなどの機械的部品を使用していないので、長期間に亘って安定して回転することができる。更に、軸受２６、軸受１２Ａ、１２Ｂを合成樹脂の流し込みで形成する場合には、石材製の回転墓誌３の軸貫通孔２５や、基台２や花立支持部５の軸端支持孔１１Ａ、１１Ｂの内径加工に多少のばらつきや、芯ずれがあっても、支持軸６を正確に中心に挿着することができる。
【００２６】
また花立支持部５の円筒体３１に吹込んだ雨水はその環状の底部に溜り、ここから円筒体３１の側面下部に形成した水抜き孔３４を通って、回転墓誌３を構成する筒状部１８の底部に流れ、更に柱状部１９に形成した水抜き孔２９から基台２の上面に流れて外部に排水される。
【００２７】
なお上記説明では基台２と回転墓誌３および花立支持部５を平面円形状に形成した場合について示したが、六角形や八角形などの多角形状でも良い。
【図面の簡単な説明】
【００２８】
【図１】本発明の実施の一形態による回転墓誌付き花立の正面図である。
【図２】図１の回転墓誌付き花立を示す断面図である。
【図３】図１の回転墓誌付き花立を設置した墓の斜視図である。
【符号の説明】
【００２９】
１    回転墓誌付き花立                                      
２    基台                                                  
３    回転墓誌                                              
４    花立                                                  
５    花立支持部                                            
６    支持軸                                                
８    円板部                                                
９    円筒部                                                
１０Ａ、１０Ｂ  孔部                                        
１１Ａ、１１Ｂ  軸端支持孔                                  
１２Ａ、１２Ｂ  軸受                                        
１３  円柱体                                                
１４Ａ、１４Ｂ  小径の円柱体                                
１５  肩部１５                                              
１６Ａ、１６Ｂ  ねじ孔                                      
１８  筒状部                                                
１９  柱状部                                                
２０  突出部                                                
２１  大径の凹部                                            
２２  小径の凹部                                            
２５  軸貫通孔                                              
２６  軸受          
２７  小径部                
２８  リング状の突出部      
２９  水抜き孔              
３１  円筒体                
３２  リング状の鍔部        
３３  突出部                
３４  水抜き孔              
３５  ボルト                  
３７  石塔                  
【図１】
2010031462.tif 000003
【図２】
2010031462.tif 000004
【図３】
2010031462.tif 000005